(57)【要約】【課題】  非接着式の冷却・保温剤を収納するポケット部と、接着式の冷却・保温剤を貼り付ける接着布を一体化することにより、あらゆる冷却・保温剤を装着できる肩掛け帯を提供する。【解決手段】  本体布１の長手方向の一方の縁辺部かつ中央部に接着布２を設け、本体布１を接着布２を有する中央部を除いて筒状に形成する。そして、本体布１の中央部に二箇所、間隔を開けて袋止め線３をそれぞれ設け、本体布１の中央部にポケット部４を形成する。【選択図】  図１
2006218263.tif 000002
【特許請求の範囲】
【請求項１】
本体布１の長手方向の一方の縁辺部かつ中央部に接着布２を設け、前記本体布１を前記接着布２を有する中央部を除いて筒状に形成し、前記本体布１の中央部に二箇所、間隔を開けて袋止め線３をそれぞれ設け、前記本体布１の中央部にポケット部４を形成した冷却剤および保温剤装着式肩掛け帯。
【請求項２】
接着布２の端部に、前記接着布２の幅より左右に長い帯状の固定帯５ａを設け、前記固定帯５ａの両端部に、片方部で一対になるように接続凸部６と接続凹部７をそれぞれ設け、前記接着布２を本体布１に被せた時に前記固定帯５ａの両端部に対応する前記本体布１の位置に固定ヒモ８をそれぞれ設けた請求項１記載の冷却剤および保温剤装着式肩掛け帯。
【請求項３】
本体布１の左右部に、前面固定凸部９と前面固定凹部１０を設けた請求項１記載の冷却剤および保温剤装着式肩掛け帯。
【請求項４】
接着布２の端部に、前記接着布２と同幅の固定帯５ｂを設け、前記固定帯５ｂの両端部に、接着布接続凸部１２をそれぞれ設け、前記接着布２を本体布１に被せた時に前記接着布接続凸部１２に対応する前記本体布１の位置に本体布接続凹部１３をそれぞれ設けた請求項１記載の冷却剤および保温剤装着式肩掛け帯。
【請求項５】
本体布１の左右部に、ループ１４とボタン１５を設けた請求項１記載の冷却剤および保温剤装着式肩掛け帯。
【発明の詳細な説明】
【技術分野】
【０００１】  本発明は、冷却剤および保温剤を装着することのできる肩掛け帯に関する。
【背景技術】
【０００２】  冷却・保温剤を装着し、身体の各部位を夏季においては冷却し、冬季においては保温する道具としては、タオルの内部に冷却剤等を巻き込むように収納するものがある。（例えば、特許文献１参照。）又、タオルを二つ折りにしてスナップやファスナーで開閉可能とし、内部に冷却剤等を収納するものがある。（例えば、実用新案文献１参照。）又、サポーター用として、身体の特定部位に当たる部分にファスナーで開閉できるポケット部を設け、内部に冷却剤等を収納するものがある。（例えば、実用新案文献２参照。）
【特許文献１】特開２０００−２３７０８９号
【実用新案文献１】
登録実用新案  第３０８３７２１号
【実用新案文献２】
登録実用新案  第３０６１５８１号
【発明の開示】
【発明が解決しようとする課題】
【０００３】  しかしながら、従来品は冷却剤等を内部に収納させるだけのものであった。だが、冷却剤には接着式の冷却シートや、保温剤には接着式の貼るカイロなどがある。従って、従来品のように収納のみの機能ではなく、多様な商品に対応できる冷却・保温剤装着道具が求められる。
【課題を解決するための手段】
【０００４】  本発明は、肩掛け帯の中央部に、非接着式冷却・保温剤を収納できるポケット部と、接着式冷却・保温剤を貼り付ける接着布を設けた冷却剤および保温剤装着式肩掛け帯を提供することにより、上記課題を解決する。
【発明の効果】
【０００５】  本発明は、非接着式冷却・保温剤を用いる場合は、ポケット部に収納し、又、接着式冷却・保温剤を用いる場合は、接着布に貼り付けることが出来るので、あらゆる冷却・保温剤の装着を可能にするという利点がある。そして、本発明を肩に掛けて着用することにより、首の後部を、夏季においては冷却し、冬季においては暖めることが出来る。
【発明を実施するための最良の形態】
【０００６】  本発明は、図１に示すように、本体布１の長手方向の一方の縁辺部かつ中央部に接着布２を設け、本体布１を接着布２を有する中央部を除いて筒状に形成する。そして、本体布１の中央部に二箇所、間隔を開けて袋止め線３をそれぞれ設けることにより、本体布１の中央部にポケット部４を形成する。
【実施例】
【０００７】  本発明の構成の詳細を説明する。図２に示すように、タオル生地等の肌ざわりのよい布地で長方形状の本体布１を形成する。本体布１の長さは首に巻ける長さ以上とし、幅は長手方向に二つ折りにした時、首の後部に添う程度で、かつ非接着式冷却・保温剤を収納可能な幅とする。尚、本体布１は厚みを増すために二重にしてもかまわない。次に、本体布１の長手方向の一方の縁辺部かつ中央部に、長方形状で、かつ接着式冷却剤等が貼れるだけの幅を有する接着布２を取り付ける。尚、接着布２の冷却剤等を貼り付ける部分は、冷温感を伝えやすいようにメッシュなどの薄布を用いることが望ましい。そして、接着布２の端部に、接着布２の幅より左右に長い帯状の固定帯５ａを設ける。固定帯５ａの両端部には、片方部で一対になるようにスナップを並べて取り付けて接続凸部６と接続凹部７をそれぞれ設ける。尚、接続凸部６と接続凹部７は、スナップの替わりにマジックテープの凸部と凹部を用いてもよい。【０００８】  次に、図３に示すように、本体布１を中央折れ線部１１で二つ折りにし、接着布２を有する中央部を除いて筒状に縫い合わせる。この時、本体布１の左右部に、スナップを有する布片を取り付け、前面固定凸部９と前面固定凹部１０を設ける。前面固定凸部９と前面固定凹部１０の位置は、本発明を着用した時、身体の前面部で結合できる位置とする。次に、本体布１の中央部に二箇所、冷却剤等が収納できるだけの間隔を開けて縦状に縫い合わせた袋止め線３をそれぞれ設ける。そして、各袋止め線３を設けることにより、本体布１の中央部に、袋状のポケット部４を形成する。尚、各袋止め線３の位置は、接着布２の両端より外側にするのが望ましい。そうすることにより、接着布２をポケット部４に収納することが出来、接着布２を洗濯時の水流や洗濯物同士の摩擦から保護することが出来る。【０００９】  本発明を使用する時は、図４に示すように、冷却シートや貼るカイロのような接着式の場合は、接着式冷却・保温剤Ａを接着布２の裏面に貼り付ける。次に、図５に示すように、接着布２を本体布１の上に被せ、固定帯５ａの両端部を、各固定ヒモ８に外方向に差し込んだ後、内側に折り返して、各接続凸部６と各接続凹部７を結合して固定する。本体布１に被せた接着布２は、本発明を着用時に首の後部に当たる部分になる。又、図６に示すように、接着式でない冷却剤等を用いる場合は、非接着式冷却・保温剤Ｂをポケット部４に差し入れて収納する。尚、接着布２はポケット部４に収納しておいてもよいし、又、本体布１に被せて前記方法で固定してもよい。そして、図７に示すように、本発明を肩に掛け、前面固定凸部９と前面固定凹部１０を結合する。前面固定凸部９と前面固定凹部１０を結合することにより、冷却剤等が首の後部位置よりずれるのを防止することが出来る。【００１０】  本発明のその他の実施例を説明する。図８に示すように、接着布２の端部に接着布２と同幅の固定帯５ｂを設け、固定帯５ｂの両端部にスナップ凸部を取り付けて接着布接続凸部１２をそれぞれ設ける。そして、本体布１に接着布２を被せた時、各接着布接続凸部１２に対応する本体布１の位置にスナップ凹部を取り付けて本体布接続凹部１３をそれぞれ設ける。そして、���着布２を本体布１に被せた後に、各接着布接続凸部１２と各本体布接続凹部１３を接続して固定する。尚、接着布接続凸部１２と本体布接続凹部１３は、スナップの替わりにマジックテープの凸部と凹部を用いてもよい。又、図９に示すように、本発明の着用時に前面部を結合するために、本体布１の左右部に、ゴム糸を輪状にしたループ１４とボタン１５を取り付ける。そして、ループ１４をボタン１５に引っ掛けて結合する。
【図面の簡単な説明】
【００１１】
【図１】本発明の斜視図である。
【図２】本発明の構成段階を示す平面図である。
【図３】本発明の構成を示す斜視図である。
【図４】接着式冷却・保温剤を接着布に貼り付けた斜視図である。
【図５】接着布を本体布に被せた状態を示す斜視図である。
【図６】非接着式冷却・保温剤をポケット部に収納させた斜視図である。
【図７】本発明の着用状態を示す斜視図である。
【図８】本発明の他の実施例を示す斜視図である。
【図９】本発明の他の実施例を示す斜視図である。
【符号の説明】
【００１２】１    本体布
２    接着布
３    袋止め線
４    ポケット部
５ａ、５ｂ  固定帯
６    接続凸部
７    接続凹部
８    固定ヒモ
９    前面固定凸部
１０  前面固定凹部
１１  中央折れ線部
１２  接着布接続凸部
１３  本体布接続凹部
１４  ループ
１５  ボタン
Ａ    接着式冷却・保温剤
Ｂ    非接着式冷却・保温剤
【図１】
2006218263.tif 000003
【図２】
2006218263.tif 000004
【図３】
2006218263.tif 000005
【図４】
2006218263.tif 000006
【図５】
2006218263.tif 000007
【図６】
2006218263.tif 000008
【図７】
2006218263.tif 000009
【図８】
2006218263.tif 000010
【図９】
2006218263.tif 000011